(57)【要約】【課題】特定の接続機器以外に接続機器を接続したときに、その接続した機器のソフトバージョンを認識することのできる通信制御装置を提供する。【解決手段】外部機器制御装置１からのコマンドを接続機器５ａ、５ｂへ転送し、その接続機器５ａ、５ｂのソフトウェアバージョンを受信して外部機器制御装置１へ転送する通信制御装置４において、接続している接続機器５ａ、５ｂを検出する接続機器検出部４６と、接続機器５ａ、５ｂの接続状況により異なるアドレスをコマンドに付加するアドレス付加部４７と、付加されたアドレスにより複数のコマンド出力部４３ａ、４３ｂから一つを選択してコマンドを送信する出力制御部４８と、接続機器５ａ、５ｂからソフトバージョンを受信するソフトバージョン受信部４４ａ、４４ｂと、ソフトバージョンを外部機器制御装置１に送信するソフトバージョン転送部４５とを備えた構成を有している。【選択図】　図１
2004005127.tif 000002
【特許請求の範囲】
【請求項１】
外部機器制御装置から入力するソフトウェアバージョン問い合わせコマンドを接続機器へ転送し、その接続機器を制御するマイクロコンピュータのソフトウェアバージョンを受信して外部機器制御装置へ転送する通信制御装置において、外部機器制御装置からソフトウェアバージョン問い合わせコマンドを受信するコマンド入力部と、受信したコマンドが有効なのか無効なのかを判断するコマンド判断部と、接続している接続機器へコマンドを送信するコマンド出力部と、接続している接続機器を検出する接続機器検出部と、接続機器の接続状況により異なるアドレスをコマンドに付加するアドレス付加部と、付加されたアドレスにより複数のコマンド出力部から一つを選択してコマンドを送信する出力制御部と、接続機器からソフトバージョンを受信するソフトバージョン受信部と、ソフトバージョンを外部機器制御装置に送信するソフトバージョン転送部とを備えたことを特徴とする通信制御装置。
【発明の詳細な説明】
【０００１】
【発明の属する技術分野】
本発明は、例えばパーソナルコンピュータ（以下、ＰＣという）などの外部機器制御装置によって制御される機器において、ＰＣから入力するソフトウェアバージョン問い合わせコマンド（以下、コマンドという）を接続機器へ転送し、その接続機器を制御するマイクロコンピュータのソフトウェアバージョン（以下、ソフトバージョンという）を受信し、ＰＣへ転送する通信制御装置に関するものである。
【０００２】
【従来の技術】
以下、図面を参照しながら、上述の通信制御装置について説明する。図３は従来の通信制御装置を含む通信形態のブロック図を示すものである。図３において、１はＰＣなどの外部から機器を制御する外部機器制御装置、２は従来の通信制御装置、３はソフトバージョンを返すことのできる接続機器である。２１は外部機器制御装置１からコマンドを受信することができるコマンド入力部であり、２２は受信したコマンドが有効なのか無効なのかを判断するコマンド判断部であり、２３は接続機器３へコマンドを送信することができるコマンド出力部であり、２４は接続機器３からソフトバージョンを受信することができるソフトバージョン受信部であり、２５は外部機器制御装置１へソフトバージョンを出力することのできるソフトバージョン転送部である。
【０００３】
以上のように構成された従来の通信制御装置について、以下その動作について説明する。
【０００４】
図３において、外部機器制御装置１からのコマンドがコマンド入力部２１に受信され、受信したコマンドがコマンド判断部２２へ送信される。コマンド判断部２２は受信したコマンドが有効なのか無効なのかを判断し、もし有効であればコマンド出力部２３へ送信し、接続機器３へ送信される。その後、接続機器３からコマンドの返答であるソフトバージョンがソフトバージョン受信部２４で受信され、ソフトバージョン転送部２５へ送信され、外部機器制御装置１へと返される。
【０００５】
【発明が解決しようとする課題】
このように従来の通信制御装置では、ＰＣなどによるソフトバージョンを問い合わせるコマンドを特定の接続機器へそのまま通信する構成であり、特定の接続機器のソフトバージョンしか認識することができなかった。
【０００６】
本発明は上記従来の問題点を解決するもので、特定の接続機器以外に接続機器を接続したときに、その接続した機器のソフトバージョンを認識することのできる通信制御装置を提供することを目的とする。
【０００７】
【課題を解決するための手段】
この目的を達成するために本発明の通信制御装置は、外部機器制御装置から入力するソフトウェアバージョン問い合わせコマンドを接続機器へ転送し、その接続機器を制御するマイクロコンピュータのソフトウェアバージョンを受信して外部機器制御装置へ転送する通信制御装置において、接続している接続機器を検出する接続機器検出部と、接続機器の接続状況により異なるアドレスをコマンドに付加するアドレス付加部と、付加されたアドレスにより複数のコマンド出力部から一つを選択してコマンドを送信する出力制御部と、接続機器からソフトバージョンを受信するソフトバージョン受信部と、ソフトバージョンを外部機器制御装置に送信するソフトバージョン転送部とを備えた構成を有している。
【０００８】
【発明の実施の形態】
本発明の請求項１に記載の発明は、外部機器制御装置から入力するソフトウェアバージョン問い合わせコマンドを接続機器へ転送し、その接続機器を制御するマイクロコンピュータのソフトウェアバージョンを受信して外部機器制御装置へ転送する通信制御装置において、外部機器制御装置からソフトウェアバージョン問い合わせコマンドを受信するコマンド入力部と、受信したコマンドが有効なのか無効なのかを判断するコマンド判断部と、接続している接続機器へコマンドを送信するコマンド出力部と、接続している接続機器を検出する接続機器検出部と、接続機器の接続状況により異なるアドレスをコマンドに付加するアドレス付加部と、付加されたアドレスにより複数のコマンド出力部から一つを選択してコマンドを送信する出力制御部と、接続機器からソフトバージョンを受信するソフトバージョン受信部と、ソフトバージョンを外部機器制御装置に送信するソフトバージョン転送部とを備えたことを特徴としたものである。
【０００９】
この構成によって、接続機器を検出し、その接続状況により接続機器にコマンドを送り、その接続機器のソフトバージョンを認識できる効果が得られる。
【００１０】
以下、本発明の一実施の形態について、図１、図２を用いて説明する。
【００１１】
図１は本発明の一実施の形態による通信制御装置の構成を含む通信形態のブロック図である。図１において、１はＰＣなどの外部から機器を制御する外部機器制御装置であり、４は本発明の通信制御装置であり、５ａは従来のソフトバージョンを返す特定の接続機器であり、５ｂはそれ以外の接続機器である。
【００１２】
また、４１は外部機器制御装置１からコマンドを受信することができるコマンド入力部、４２は受信したコマンドが有効なのか無効なのかを判断するコマンド判断部、４３ａは接続機器５ａへコマンドを送信することができるコマンド出力部、４３ｂは接続機器５ｂへコマンドを送信することができるコマンド出力部、４４ａは接続機器５ａからソフトバージョンを受信することができるソフトバージョン受信部、４４ｂは接続機器５ｂからソフトバージョンを受信することができるソフトバージョン受信部、４５は外部機器制御装置１へソフトバージョンを出力することのできるソフトバージョン転送部、４６は接続機器５ｂが接続されているかどうかを検出する接続検出部、４７は接続機器５ｂの接続の有無によりコマンドに異なるアドレスを付加するアドレス付加部、４８は付加されたアドレスにより複数のコマンド出力部４３ａ、４３ｂから１つを選択し、コマンド出力部４３ａ、４３ｂへコマンドを送信する出力制御部である。
【００１３】
以上のように構成された通信制御装置について、以下その動作を図１、図２を用いて説明する。図において、外部機器制御装置１からのコマンドがコマンド入力部４１に受信され、受信したコマンドがコマンド判断部４２へ送信される。コマンド判断部４２は受信したコマンドが有効なのか無効なのかを判断し、もし有効であればアドレス付加部４７へ送信され、無効であれば中止となる。
【００１４】
アドレス付加部４７では、接続検出部４６によって検出される接続機器５ｂの接続状況により、コマンド判断部４２から送信されるコマンドにアドレスを付加して出力制御部４８へコマンドを送る。出力制御部４８では、コマンドを付加されたアドレスにより、コマンド出力部４３ａか、コマンド出力部４３ｂかを選択し、選択されたコマンド出力部４３ａまたはコマンド出力部４３ｂ（図示のものはコマンド出力部４３ａを選択）へコマンドを送り、コマンド出力部４３ａまたはコマンド出力部４３ｂから接続機器５ａまたは接続機器５ｂ（図示のものは接続機器５ａ）へコマンドが送信される。
【００１５】
その後、コマンドを受けた接続機器５ａまたは接続機器５ｂ（図示のものは接続機器５ａ）からコマンドの返答であるソフトバージョンがソフトバージョン受信部４４ａまたはソフトバージョン受信部４４ｂ（図示のものはソフトバージョン受信部４４ａ）で受信され、ソフトバージョン転送部４５へ送られ、外部機器制御装置１へと転送される。
【００１６】
以上のように本実施の形態によれば、同じコマンドで接続された機器のソフトバージョンを認識することができ、特定の接続機器のソフトバージョンしか認識できないという問題を解消することができる。
【００１７】
【発明の効果】
以上のように本発明は、接続機器の接続状態によりコマンドに異なったアドレスを付加し、そのアドレスによって送信する出力先を変更することで、接続した接続機器のソフトバージョンを認識できるという優れた効果が得られる。
【図面の簡単な説明】
【図１】本発明の一実施の形態における通信制御装置を示す構成図
【図２】同通信制御装置の動作フローを示す説明図
【図３】従来の通信制御装置の構成図
【符号の説明】
１　外部機器制御装置
４　通信制御装置
５ａ、５ｂ　接続機器
４１　コマンド入力部
４２　コマンド判断部
４３ａ、４３ｂ　コマンド出力部
４４ａ、４４ｂ　ソフトバージョン受信部
４５　ソフトバージョン転送部
４６　接続検出部
４７　アドレス付加部
４８　出力制御部
【図１】
2004005127.tif 000003
【図２】
2004005127.tif 000004
【図３】
2004005127.tif 000005